(57)【要約】      （修正有）【課題】除塵に用いられる清掃容易な空気浄化デバイスを提供する。【解決手段】浄化器ハウジング１の頂部に頂板７が固定接続され、頂板７の内部に通気保護ネットが設置され、頂板７の頂部にモータ９が固定接続され、モータ９の出力端に中心回転軸が固定接続されており、中心回転軸が頂板７を貫通して第１取付リングを固定接続しており、第１取付リングの外面に回転バーが固定接続され、回転バーの頂部に整理ブラッシュが固定接続され、中心回転軸の外面に第２取付リングが固定接続され、第２取付リングの外面に攪拌ティース１５が固定接続され、整理ブラッシュと濾過ネットとが接触しており、攪拌ティース１５が貯水タンク２の内部に位置されており、浄化器ハウジング１の内壁に送風機１６が固定接続され、送風機１６の一端に第１ダクトが固定接続され、かつ送風機１６の他端に第２ダクト１８が固定接続されており、第２ダクト１８がホッパーユニット３の内部を貫通している。【選択図】図２
0003229721.tif 000002
【実用新案登録請求の範囲】
【請求項１】
浄化器ハウジング１を含む除塵に用いられる清掃容易な空気浄化デバイスであって、前記
浄化器ハウジング１の内壁の底部に貯水タンク２が固定接続され、前記貯水タンク２の頂
部にホッパーユニット３が固定接続され、前記ホッパーユニット３の頂部に固定リング４
が固定接続されており、前記固定リング４と浄化器ハウジング１とが固定接続されており
、前記固定リング４の内部に濾過ネット５が固定接続され、前記濾過ネット５の中心に位
置決めリング６が固定接続されており、
前記浄化器ハウジング１の頂部に頂板７が固定接続され、前記頂板７の内部に通気保護ネ
ット８が設置され、前記頂板７の頂部にモータ９が固定接続され、前記モータ９の出力端
に中心回転軸１０が固定接続されており、前記中心回転軸１０が頂板７を貫通して第１取
付リング１１を固定接続しており、前記第１取付リング１１の外面に回転バー１２が固定
接続され、前記回転バー１２の頂部に整理ブラッシュ１３が固定接続され、前記中心回転
軸１０の外面に第２取付リング１４が固定接続され、前記第２取付リング１４の外面に攪
拌ティース１５が固定接続され、前記整理ブラッシュ１３と濾過ネット５とが接触してお
り、前記攪拌ティース１５が貯水タンク２の内部に位置されており、
前記浄化器ハウジング１の内壁に送風機１６が固定接続され、前記送風機１６の一端に第
１ダクト１７が固定接続され、かつ前記送風機１６の他端に第２ダクト１８が固定接続さ
れており、前記第２ダクト１８がホッパーユニット３の内部を貫通している、
ことを特徴とする除塵に用いられる前記清掃容易な空気浄化デバイス。
【請求項２】
前記貯水タンク２の一側に進水ダクトが固定接続され、前記貯水タンク２の一側に排水ダ
クトが固定接続されていることを特徴とする請求項１に記載の除塵に用いられる清掃容易
な空気浄化デバイス。
【請求項３】
前記頂板７の内部に補強筋が固定接続され、前記通気保護ネット８と補強筋とが重合接続
されていることを特徴とする請求項１に記載の除塵に用いられる清掃容易な空気浄化デバ
イス。
【請求項４】
前記攪拌ティース１５の数は複数個とし、複数個の前記攪拌ティース１５が均一に第２取
付リング１４の外面に配置されていることを特徴とする請求項１に記載の除塵に用いられ
る清掃容易な空気浄化デバイス。
【請求項５】
前記位置決めリング６の頂部に支持スリーブが固定接続され、前記支持スリーブの頂部と
頂板７とが固定接続されていることを特徴とする請求項１に記載の除塵に用いられる清掃
容易な空気浄化デバイス。
【請求項６】
前記回転バー１２の長度と濾過ネット５の半径とが等しくすることを特徴とする請求項１
に記載の除塵に用いられる清掃容易な空気浄化デバイス。
【考案の詳細な説明】
【技術分野】
【０００１】
本実用新案は、空気浄化デバイス・装置の技術分野に関するもので、特に、除塵に用いら
れる清掃容易な空気浄化デバイスに関する。
【従来の技術】
【０００２】
空気浄化デバイスは、空気汚染物を濾過または殺滅し、空気の清浄度を高めるものをいう
。織物の濾布や不紡物のフェルトなどで作った濾過袋によって塵埃を含む空気を濾過する
。塵含有の気体が袋式の除塵器に流れ込んで、大粒や大比重の灰塵が重力で沈下するが、
微細塵が濾過材料で通過するとともに止まる。このため、ガスを浄化することができる。
【０００３】
従来の空気浄化デバイスは、その具体的実用では、下記の欠点がある。
従来の空気浄化デバイスは、長期間使用にわたって濾過浄化を行ったら、デバイス内の濾
過除塵ネットが塞がれやすく、人によって時々整理をしなければならないので、使用が不
便で、改良する余地がある。
【考案の概要】
【０００４】
上記の問題を解決するために、本実用新案は以下の清掃容易な空気浄化デバイスを提供
する。
浄化器ハウジング１を含む除塵に用いられる清掃容易な空気浄化デバイスであって、前
記浄化器ハウジング１の内壁の底部に貯水タンク２が固定接続され、前記貯水タンク２の
頂部にホッパーユニット３が固定接続され、前記ホッパーユニット３の頂部に固定リング
４が固定接続されており、前記固定リング４と浄化器ハウジング１とが固定接続されてお
り、前記固定リング４の内部に濾過ネット５が固定接続され、前記濾過ネット５の中心に
位置決めリング６が固定接続されており、前記浄化器ハウジング１の頂部に頂板７が固定
接続され、前記頂板７の内部に通気保護ネット８が設置され、前記頂板７の頂部にモータ
９が固定接続され、前記モータ９の出力端に中心回転軸１０が固定接続されており、前記
中心回転軸１０が頂板７を貫通して第１取付リング１１を固定接続しており、前記第１取
付リング１１の外面に回転バー１２が固定接続され、前記回転バー１２の頂部に整理ブラ
ッシュ１３が固定接続され、前記中心回転軸１０の外面に第２取付リング１４が固定接続
され、前記第２取付リング１４の外面に攪拌ティース１５が固定接続され、前記整理ブラ
ッシュ１３と濾過ネット５とが接触しており、前記攪拌ティース１５が貯水タンク２の内
部に位置されており、前記浄化器ハウジング１の内壁に送風機１６が固定接続され、前記
送風機１６の一端に第１ダクト１７が固定接続され、かつ前記送風機１６の他端に第２ダ
クト１８が固定接続されており、前記第２ダクト１８がホッパーユニット３の内部を貫通
している、除塵に用いられる清掃容易な空気浄化デバイス。
好ましくは、前記貯水タンク２の一側に進水ダクトが固定接続され、前記貯水タンク２
の一側に排水ダクトが固定接続されている。
好ましくは、前記頂板７の内部に補強筋が固定接続され、前記通気保護ネット８と補強
筋とが重合接続されている。
好ましくは、前記攪拌ティース１５の数は複数個とし、複数個の前記攪拌ティース１５
が均一に第２取付リング１４の外面に配置されている。
好ましくは、前記位置決めリング６の頂部に支持スリーブが固定接続され、前記支持ス
リーブの頂部と頂板７とが固定接続されている。
好ましくは、前記回転バー１２の長度と濾過ネット５の半径とが等しくすることを特徴
とする請求項１に記載の除塵に用いられる。
【０００５】
本実用新案の除塵に用いられる清掃容易な空気浄化デバイスは以下の利点を有する。
使用際においては、本装置はモータを設けている。モータによって整理ブラッシュと攪拌
ティースを回転駆動する。整理ブラッシュによって濾過ネットにおいて積もった塵埃を掻
き下ろすことで、濾過ネットによって継続的に塵含有の空気を浄化することができる。攪
拌ティースが回転しながら耐えずに貯水タンク内の水を攪拌することで、本装置内に落ち
た灰塵を水に充分に接触させることができ、塵の二次飛びで濾過ネットを塞ぐことを防止
することができる。これによって、濾過ネットの濾過効率を向上することができる。した
がって、本装置は自我清潔の機能を具備するので、使用が便利で、実用性が向上する。
【図面の簡単な説明】
【０００６】
【図１】本実用新案の構成模式図。
【図２】本実用新案の断面図。
【図３】本実用新案の中心回転軸の構成模式図。
【図４】本実用新案の位置決めリングの構成模式図。
【図５】本実用新案の図２のＡ部における構成拡大模式図。
【考案を実施するための形態】
【０００７】
以下、図面とともに、本実施形態について説明する。
図１〜図５に示されるように、本除塵に用いられる清掃容易な空気浄化デバイスは、浄化
器ハウジング１を含む除塵に用いられる清掃容易な空気浄化デバイスであって、前記浄化
器ハウジング１の内壁の底部に貯水タンク２が固定接続され、前記貯水タンク２の頂部に
ホッパーユニット３が固定接続され、前記ホッパーユニット３の頂部に固定リング４が固
定接続されており、前記固定リング４と浄化器ハウジング１とが固定接続されており、前
記固定リング４の内部に濾過ネット５が固定接続され、前記濾過ネット５の中心に位置決
めリング６が固定接続されている。
【０００８】
前記浄化器ハウジング１の頂部に頂板７が固定接続され、前記頂板７の内部に通気保護ネ
ット８が設置され、前記頂板７の頂部にモータ９が固定接続され、前記モータ９の出力端
に中心回転軸１０が固定接続されており、前記中心回転軸１０が頂板７を貫通して第１取
付リング１１を固定接続しており、前記第１取付リング１１の外面に回転バー１２が固定
接続され、前記回転バー１２の頂部に整理ブラッシュ１３が固定接続され、前記中心回転
軸１０の外面に第２取付リング１４が固定接続され、前記第２取付リング１４の外面に攪
拌ティース１５が固定接続され、前記整理ブラッシュ１３と濾過ネット５とが接触してお
り、前記攪拌ティース１５が貯水タンク２の内部に位置されている。
【０００９】
前記浄化器ハウジング１の内壁に送風機１６が固定接続され、前記送風機１６の一端に第
１ダクト１７が固定接続され、かつ前記送風機１６の他端に第２ダクト１８が固定接続さ
れており、前記第２ダクト１８がホッパーユニット３の内部を貫通している。
【００１０】
一実施形態として、貯水タンク２の一側に進水ダクトが固定接続され、貯水タンク２の一
側に排水ダクトが固定接続されている。
【００１１】
一実施形態として、頂板７の内部に補強筋が固定接続され、通気保護ネット８と補強筋と
が重合接続されている。
【００１２】
一実施形態として、攪拌ティース１５の数が複数個とし、この複数個の攪拌ティース１５
が均一に第２取付リング１４の外面に配置されている。
【００１３】
一実施形態として、位置決めリング６の頂部に支持スリーブが固定接続され、支持スリー
ブの頂部と頂板７とが固定接続されている。
【００１４】
一実施形態として、回転バー１２の長度と濾過ネット５の半径とが等しくする。
【００１５】
本実用新案の動作原理について説明する。送風機１６により外部から塵含有の空気を本装
置内に吸入して、この塵含有空気内の塵を濾過ネット５により濾過する。そして清潔空気
を濾過ネット５内を通過して、通気保護ネット８を介して本装置から排出する。また本装
置はさらに自我清潔機能を具備する。モータ９により中心回転軸１０を回転駆動する。中
心回転軸１０によって中心回転軸１０の外面に取付けられる回転バー１２と攪拌ティース
１５を回転駆動する。回転バー１２の長度と濾過ネット５の半径とが一致する。回転バー
１２の頂部に整理ブラッシュ１３が設置されている。整理ブラッシュ１３の材質が柔軟的
材料である。濾過ネット５に付着する灰塵を掻き下ろしながらも、濾過ネット５を破壊す
ることがない。したがって良好な掃除効果をもたらす。モータ９が継続的に回転するので
、濾過ネット５に止まった塵埃も継続的に掃除される。このため、濾過ネット５上の塵埃
の詰まったことにより濾過ネット５の濾過効果を影響することを防止することができる。
したがって使用上で便利である。掻き下ろした大粒塵埃が重力によって貯水タンク２内に
落ちてくる。貯水タンク２の内部に水が貯蓄する。攪拌ティース１５の回転によって塵埃
と水を混ぜることで、塵埃の二次飛びで濾過ネット５を塞ぐことを回避できる。したがっ
て使用に便利である。モータ９と送風機１６がいずれも配線によって電源に接続される。
貯水タンク２内の水の塵埃呑み能力が強くて、長期間にわたって空気を浄化することがで
きる。また、モータ９を設けているが、モータ９によって整理ブラッシュ１３と攪拌ティ
ース１５を回転駆動する。整理ブラッシュ１３によって濾過ネット５において積もった塵
埃を掻き下ろすことで、濾過ネット５によって継続的に塵含有空気を浄化することができ
る。攪拌ティース１５が回転しながら耐えずに貯水タンク２内の水を攪拌することで、本
装置内に落ちた灰塵を水に充分に接触させることができ、灰塵の二次飛びで濾過ネット５
を塞ぐことを防止することができる。これによって、濾過ネット５の濾過効率を向上でき
る。したがって、本装置は自我清潔の機能を具備するので、使用が便利で、実用性が向上
する。
【００１６】
述べたものは、本考案の実施形態だけであり、前記具体のな実施形態は、普通技術者は本
考案の原理と精神の範疇内において、各種の変形及び修正、置換、変形を行うことができ
る。本実用新案の保護範囲は、実用新案登録請求の範囲及びその均等物である。
【符号の説明】
【００１７】
１    浄化器ハウジング
２    貯水タンク
３    ホッパーユニット
４    固定リング
５    濾過ネット
６    位置決めリング
７    頂板
８    通気保護ネット
９    モータ
１０    中心回転軸
１１    第１取付リング
１２    回転バー
１３    整理ブラッシュ
１４    第２取付リング
１５    攪拌ティース
１６    送風機
１７    第１ダクト
１８    第２ダクト
【図１】
0003229721.tif 000003
【図２】
0003229721.tif 000004
【図３】
0003229721.tif 000005
【図４】
0003229721.tif 000006
【図５】
0003229721.tif 000007